(57)【特許請求の範囲】
【請求項１】
一端に複数の第１の端子（３２）が位置するカード状データ処理媒体（３０）を、その第１の端子に対応する複数の第２の端子（２６ａ）を通じてデータ処理装置へ接続するためのコネクタ装置であって、
前記データ処理媒体用の挿入口（２２）を前端に有し、かつ前記第２の端子を配列したヘッダー（１４）を後端に有し、これらの挿入口（２２）とヘッダー（１４）との間にデータ処理媒体の収容空間を形成したハウジング（１２）と、
このハウジング（１２）の前後方向に移動可能で、前記第２の端子に第１の端子を嵌合させたデータ処理媒体の前記一端に係合可能な摺動板（６０ａ）と、
前記ハウジング（１２）に設けられ、この摺動板（６０ａ）を前記挿入口（２２）側に移動してデータ処理媒体をヘッダー（１４）から抜去するための押し棒（４８ａ）と、
前記摺動板（６０ａ）と押し棒（４８ａ）との間に介挿され、一端に作用する押し棒の動きを、他端に連結された摺動板に伝達する揺動レバー（４２ａ）と、
この揺動レバー（４２ａ）と押し棒（４８ａ）との連結と、この連結の解除とを選択的に切り換える切り換え手段（７８ａ）と、
前記データ処理媒体（３０）の第１の端子（３２）とヘッダー（１４）の第２の端子（２６ａ）とが接続されているときに、前記押し棒（４８ａ）に作用する力を検知する検知手段（９８ａ）と、を備えるを備えることを特徴とするコネクタ装置。
【請求項２】
前記ハウジングの収容空間内におけるデータ処理媒体の存在を検出するための検出手段を更に備える請求項１記載のコネクタ装置。
【請求項３】
前記検出手段を通じてデータ処理媒体（３０）を検出したときに、前記切り換え手段（７８ａ）が前記揺動レバー（４２ａ）と押し棒（４８ａ）との連結を解除する請求項２記載のコネクタ装置。
【請求項４】
前記揺動レバー（４２ａ）を押し棒（４８ａ）に連結する位置と、その連結を解除する位置とに、前記切り換え手段（７８ａ）を駆動するソレノイド（８４ａ）と、このソレノイドに対して指令信号を与えるための指令手段とを更に備える請求項３記載のコネクタ装置。
【請求項５】
前記切り換え手段は、検出手段を通じてデータ処理媒体（３０）を検出したときに、指令手段からの第１指令信号に基づいて作動されるソレノイド（８４ａ）により、前記揺動レバー（４２ａ）と押し棒（４８ａ）との連結を解除する位置に切り換えられる請求項４記載のコネクタ装置。
【請求項６】
前記切り換え手段は、指令手段からの第２指令信号に基づいて作動されるソレノイド（８４ａ）により、前記検出手段による検出結果に依存せずに、前記揺動レバー（４２ａ）と押し棒（４８ａ）とを連結する位置に切り換えられる請求項５記載のコネクタ装置。
【請求項７】
データ処理媒体に当接して、データ処理媒体の脱落を防止する脱落防止機構（８８ａ）を更に備える請求項１乃至６の何れか一項に記載のコネクタ装置。
【請求項８】
指令手段の第２信号に基づいて、脱落防止機構（８８ａ）によるデータ処理媒体（３０）との当接が解除される請求項７記載のコネクタ装置。
【請求項９】
カード状データ処理媒体が集積回路を内蔵している請求項１乃至８の何れか一項に記載のコネクタ装置。
【請求項１０】
カード状データ処理媒体（３０）が、ハードディスクドライブを内蔵している請求項１乃至８の何れか一項に記載のコネクタ装置。
【請求項１１】
一端に複数の第１の端子が位置するカード状データ処理媒体を、その第１の端子に対応する複数の第２の端子を通じてデータ処理装置へ接続するためのコネクタ装置であって、
前記データ処理媒体用の挿入口（２２）を前端に有し、かつ前記第２の端子を配列したヘッダー（１４）を後端に有し、これらの挿入口（２２）とヘッダー（１４）との間にデータ処理媒体の収容空間を形成したハウジング（１２）と、
このハウジング（１２）の前後方向に移動可能で、前記第２の端子に第１の端子を嵌合させたデータ処理媒体の前記一端に係合可能な摺動板（６０ａ）と、
前記ハウジング（１２）に設けられ、この摺動板（６０ａ）を前記挿入口（２２）側に移動してデータ処理媒体をヘッダー（１４）から抜去するための押し棒（４８ａ）と、
前記摺動板（６０ａ）と押し棒（４８ａ）との間に介挿され、一端に作用する押し棒の動きを、他端に連結された摺動板に伝達する揺動レバー（４２ａ）と、
前記押し棒（４８ａ）の可動領域内に移動して押し棒（４８ａ）を係止する位置と、この可動領域外に移動して押し棒（４８ａ）との干渉を防止する位置との間を移動可能な摺動部材（５５）とを備え、
この摺動部材は、前記押し棒（４８）に沿って移動可能な伝達部材（６７）により、押し棒の移動方向に対して横方向に移動され、前記第１の端子と第２の端子とが接続されたときに、押し棒の可動領域内に移動され、前記データ処理装置からの指令により、前記伝達部材（６７）を介して押し棒の可動領域外に移動可能であることを特徴とするコネクタ装置。
【請求項１２】
前記第１の端子と第２の端子とが接続され、かつ、前記摺動板（６０ａ）を挿入口（２２）側に移動する力が前記押し棒に作用したときに、この押し棒に作用する力を検知する検知手段（５３）を更に備える請求項１１記載のコネクタ装置。
【請求項１３】
前記ハウジング（１２）は、前記収容空間を複数有し、各々の収容空間毎に設けられた押し棒（４８ａ）が、同一の摺動部材（５５）で係止される請求項１１または１２記載のコネクタ装置。
【請求項１４】
カード状データ処理媒体（３０）が集積回路を内蔵している請求項１１乃至１３の何れか１項に記載のコネクタ装置。
【請求項１５】
カード状データ処理媒体（３０）が、ハードディスクドライブを内蔵している請求項１１乃至１３の何れか１項に記載のコネクタ装置。
【請求項１６】
前記データ処理装置の内蔵プログラムで作動されるソレノイド（８４）と、このソレノイドで移動される伝達腕（６７）とを備え、前記摺動部材（５５）は、この伝達腕に係合し、前記押し棒（４８ａ）の可動領域と可動領域外との間を移動される請求項１１乃至１５の何れか１項に記載のコネクタ装置。
【発明の詳細な説明】
【０００１】
【産業上の利用分野】
本発明は、メモリーカードや薄型ハードディスクドライブパッケージなどのカード形状の電子的データ処理媒体を電子的データ処理装置へ装着するためのコネクタ装置に関する。
【０００２】
【従来の技術】
この種の従来のコネクタ装置の一つが、実開平４−５２２６５号公報に開示されている。このコネクタ装置は、前端に挿入口、後端に雄端子をそれぞれ有する矩形状のハウジングを備える。ハウジングの上板には、ハウジングの前端から後端に沿って摺動可能な摺動板が配置されている。この摺動板は、ハウジングの上板を介して電子的データ処理媒体に係合可能な鈎を有する。ハウジングの一側面には、ハウジングの一端から他端に沿って摺動可能な手動操作部材、例えば押し棒が取り付けられている。
【０００３】
これら摺動板と操作部材とは、ハウジングの上板上に配置された揺動レバーを介して連結されることにより、互いに連動して且つ互いに逆方向へ摺動する。このようなコネクタ装置は、例えばパーソナルコンピュータまたはその周辺機器などの電子的データ処理装置の筐体の内部に装着される。この装着状態において、コネクタ装置の操作部材は、ハウジングの前端を越えて筐体の外部へ引き出すことができる。
【０００４】
データ処理媒体を雄端子側へ押し込むと、データ処理媒体の雌端子とコネクタ装置の雄端子とが電気的且つ機械的に接続される。これによりデータ処理媒体がデータ処理装置へ接続される。
【０００５】
逆に操作部材が筐体の内部へ押し込まれると、摺動板が挿入口側へ移動する。これに伴い、データ処理媒体が挿入口から引き出され、データ処理装置に対する接続が解除される。
【０００６】
【発明が解決しようとする課題】
コネクタ装置を介してデータ処理媒体とデータ処理装置との間でデータの送受が実行されている間、特にハードディスクドライブパッケージはコネクタ装置に対する接続を断ってはならない。このような切断は、コネクタ装置が装着されたデータ処理装置、またはそのデータ処理装置を含む系統の回路遮断を引き起こし、更には送受されたデータが失われる。従って、操作期間中におけるデータ処理媒体とコネクタ装置との不慮の切断を防止することが要請される。即ち、操作者による誤操作を防止し、安全性を向上させることが要請される。
【０００７】
従って本発明の目的は、仮に操作者による誤操作がなされたとしても、データ処理媒体を接続状態に維持することが可能なコネクタ装置を提供することである。
【０００８】
【課題を達成するための手段】
本発明の一つの観点によれば、一端に複数の第１の端子が位置するカード状データ処理媒体を、その第１の端子に対応する複数の第２の端子を通じてデータ処理装置へ接続するためのコネクタ装置であって、前記データ処理媒体用の挿入口を前端に有し、かつ前記第２の端子を配列したヘッダーを後端に有し、これらの挿入口とヘッダーとの間にデータ処理媒体の収容空間を形成したハウジングと、このハウジングの前後方向に移動可能で、前記第２の端子に第１の端子を嵌合させたデータ処理媒体の前記一端に係合可能な摺動板と、前記ハウジングに設けられ、この摺動板を前記挿入口側に移動してデータ処理媒体をヘッダーから抜去するための押し棒と、前記摺動板と押し棒との間に介挿され、一端に作用する押し棒の動きを、他端に連結された摺動板に伝達する揺動レバーと、この揺動レバーと押し棒との連結と、この連結の解除とを選択的に切り換える切り換え手段と、前記データ処理媒体の第１の端子とヘッダーの第２の端子とが接続されているときに、前記押し棒に作用する力を検知する検知手段と、を備えるを備えることを特徴とする。
【０００９】
このコネクタ装置は、好ましくは、ハウジングの収容空間内におけるデータ処理媒体の存在を検出するための検出手段を更に備える。この場合、検出手段による検出結果に基づいて、切り換え手段による切り換えを実行してもよい。
【００１０】
切り換え手段は、検出手段を通じてデータ処理媒体を検出したときに、指令手段からの第１指令信号に基づいて作動されるソレノイドにより、前記揺動レバーと押し棒との連結を解除する位置に切り換えられてもよい。
【００１１】
切り換え手段は、指令手段からの第２指令信号に基づいて作動されるソレノイドにより、前記検出手段による検出結果に依存せずに、前記揺動レバーと押し棒とを連結する位置に切り換えられてもよい。
【００１２】
データ処理媒体に当接して、データ処理媒体の脱落を防止する脱落防止機構を更に備えてもよい。この場合、指令手段の第２信号に基づいて、脱落防止機構によるデータ処理媒体との当接が解除されることが好ましい。
【００１３】
本発明の他の観点によるコネクタ装置は、データ処理媒体用の挿入口を前端に有し、かつ前記第２の端子を配列したヘッダーを後端に有し、これらの挿入口とヘッダーとの間にデータ処理媒体の収容空間を形成したハウジングと、このハウジングの前後方向に移動可能で、前記第２の端子に第１の端子を嵌合させたデータ処理媒体の前記一端に係合可能な摺動板と、前記ハウジングに設けられ、この摺動板を前記挿入口側に移動してデータ処理媒体をヘッダーから抜去するための押し棒と、前記摺動板と押し棒との間に介挿され、一端に作用する押し棒の動きを、他端に連結された摺動板に伝達する揺動レバーと、前記押し棒の可動領域内に移動して押し棒を係止する位置と、この可動領域外に移動して押し棒との干渉を防止する位置との間を移動可能な摺動部材とを備え、この摺動部材は、前記押し棒に沿って移動可能な伝達部材により、押し棒の移動方向に対して横方向に移動され、前記第１の端子と第２の端子とが接続されたときに、押し棒の可動領域内に移動され、前記伝達部材を介して前記データ処理装置からの指令により、押し棒の可動領域外に移動可能であることを特徴とする。
【００１４】
この場合、前記収容空間を複数有し、各々の収容空間毎に設けられた押し棒が、同一の摺動部材で係止されるようにしてもよい。
【００１５】
上述の何れのコネクタ装置も、第１の端子と第２の端子とが接続され、かつ、前記摺動板を挿入口側に移動する力が前記押し棒に作用したときに、この押し棒に作用する力を検知する検知手段を更に備えてもよい。
【００１６】
本発明の実施例によれば、カード状データ処理媒体は集積回路またはハードディスクドライブを内蔵している。本発明の範囲内において、上述した用語「データ処理媒体」とは、電子的データを記憶させるべき媒体に限らず、例えばインターフェースのように電子的データを処理する媒体をも含むものとする。また、上述した用語「データ処理装置」とは、例えばパーソナルコンピュータ及びその周辺機器のように、電子的データを処理する電子機器を意味するものとする。
【００１７】
【作用】
本発明の一つのコネクタ装置によれば、押し棒と摺動板との間の運動の伝達と伝達解除とが選択的に切り換えられる。従ってデータ処理媒体の操作期間中には、押し棒と摺動板との間の運動の伝達を解除することにより、押し棒の動作に拘らず、データ処理媒体がハウジングから抜去不能となる。
【００１８】本発明の他のコネクタ装置によれば、摺動部材により押し棒を係止することができる。従ってデータ処理媒体の操作期間中には、押し棒を係止することにより、押し棒の不所望な移動、即ちデータ処理媒体の不所望な抜去が防止される。
【００１９】
【実施例】
図１は本発明の第１実施例を示す。本実施例のコネクタ装置は、二枚のカード状の電子的情報処理媒体を収納可能である。コネクタ装置は実質的に長方形状のハウジング１２と、その後端に連結されたヘッダー１４とを備えている。
【００２０】
ハウジング１２は、その両側面を規定する一対の側壁１６ａ，１６ｂと、その上下面を規定する上板１８ａ及び底板１８ｂを有する。ハウジング１２の前端には挿入口２２が形成されている。一方の側壁１６ｂは、コネクタ装置を操作するための部品を支持するように、側壁１６ｂの外側へ突出した支持板１６ｃを有する。
【００２１】
このようなコネクタ装置には、螺子孔等を有する適宜な取り付け部材１０が設けられている。コネクタ装置は、その取り付け部材１０を介して電子的情報処理装置（例えばパーソナルコンピュータまたはその周辺機器など）に装着される。
【００２２】
ここでコネクタ装置が装着される情報処理装置自体、或いはその情報処理装置を含む系統は、コネクタ装置を駆動させるためのパルス信号源とそれを制御するための内蔵プログラムとを持つ制御回路を有するものとする。
【００２３】
図２に示すように、挿入口２２に連通するハウジング１２の内部空間は、ハウジング１２の上下方向に沿って第１と第２の内室またはデッキ２４ａ，２４ｂに区画されている。これら第１と第２のデッキ２４ａ，２４ｂの各々には、一枚のカード状情報処理媒体、例えばメモリーカードを収納可能である。
【００２４】
図３に示すメモリーカード３０は、カード状のパッケージに記憶素子、例えばランダムアクセスメモリー（ＲＡＭ）またはリードオンリーメモリー（ＲＯＭ）を組み込んでなる。このメモリーカード３０の前端面及び後端面の少なくとも一方は、コネクタ装置の後述する雄端子配列２６ａ，２６ｂが嵌合すべき雌端子配列３２を有する。
【００２５】
典型的なメモリーカード３０においては、記憶素子として不揮発性ＲＡＭが使用されている。このようなメモリーカード３０は、情報処理装置へ一旦に情報を転送した後は、情報処理装置から引き抜くことができる。
【００２６】
再び図１及び図２を参照すると、ハウジング１２の側壁１６ａ，１６ｂの内面には、デッキ２４ａ，２４ｂへメモリーカード３０を出入りさせるための案内２８ａ，２８ｂがコネクタ装置の長さ方向（Ｙ軸方向）に沿って形成されている。
【００２７】
ヘッダー１４は、高さ方向（Ｚ軸方向）に二組の導電金属製の端子配列を有する。即ち、第１デッキ２４ａにおけるメモリーカード３０の雌端子配列３２に嵌合すべき上部雄端子配列２６ａと、第２デッキ２４ｂにおけるメモリーカード３の雌端子配列３２に嵌合すべき下部雄端子配列２６ｂとを有する。
【００２８】
更に、ハウジング１２は、第１デッキ２４に対応する上部排出機構４０ａと、第２デッキ２６に対応する下部排出機構４０ｂとを有する。これら上部及び下部排出機構４０ａ，４０ｂの構成は基本的に同一であり、図においては、上部排出機構４０ａの構成要素を示す参照符号には文字ａが添えて示され、下部排出機構４０ｂの構成要素を示す参照符号には文字ｂが添えて示されている。以下の説明では、特に断らない限り、上部排出機構４０ａに代表させて説明する。
【００２９】
また、ハウジング１２の長さ方向の側壁１６ａ側、側壁１６ｂ側、ハウジング１２の幅方向の挿入口２２側、及びヘッダー１４側をそれぞれＸ- 側、Ｘ+ 側、Ｙ- 側、Ｙ+ 側と定義する。
【００３０】
図１及び図４を参照すると、ハウジング１２の挿入口２２の近傍における上板１８ａには、揺動レバー４２ａが回転軸４４ａにより軸支されている。揺動レバー４２ａを回転軸４４ａの回りに揺動させるために、揺動レバー４２ａの一端は、下方へ折り曲げられた爪４６ａを形成している。この爪は押し棒４８ａの一端の切欠５０ａに係合可能である。押し棒４８ａは、一方の側壁１６ｂに設けられた案内５２ａ内を適宜なばね（図示せず）によりＹ方向に沿って摺動する。
【００３１】
また、揺動レバー４２ａの他端には、舌状片５４ａが一体的に形成されている。この舌状片５４ａは、上板１８ａの面から若干盛り上がった帯状の摺動案内５６ａの内側に摺動可能に接する。摺動案内５６ａは、例えば上板１８ａの打ち抜き加工によって形成される。
【００３２】
従って、押し棒４８ａを手動操作でＹ方向へ摺動させることにより、揺動レバー４２ａは、上板１８ａの上面に沿って、回転軸４４ａの回りに揺動する。更に、揺動レバー４２ａには、例えば打ち抜き加工によって上板１８ａ側に突出した爪５８ａが形成されている。この爪は、後述のように、揺動レバー４２ａの揺動を摺動板６０ａへ伝達する。
【００３３】
摺動板６０ａは、メモリーカード３０の不使用時に、コネクタ装置のヘッダー１４に電気接続された状態のメモリーカード３０をヘッダー１４から引き抜くためのものである。この摺動板６０ａは、その基端部６２ａに切起こして形成された爪６４ａを有し、この爪６４ａは、揺動レバー４２ａの揺動に伴って、揺動レバー４２ａの爪５８ａに係合可能である。従って、揺動レバー４２ａと摺動板６０ａとの間の力の伝達は、爪５８ａと爪６４ａとの間の一接点のみでなされる。
【００３４】
揺動レバー４２ａが揺動されると、摺動板６０ａは、上板１８ａの表面上でＹ方向へ摺動する。この摺動の際には、摺動板６０ａの基端部６４ａ及び後述の腕６６ａと、上板１８ａの後述の切欠７０ａ，７２ａが摺動案内としての役割を果たし、摺動板６０ａのＸ方向への運動が規制される。
【００３５】
摺動板６０ａには、その両側端部にそれぞれヘッダー１４側へ向かって腕６６ａが延設されている。この腕６６ａには、それぞれ屈曲部６８ａが形成されている。この屈曲部６８ａは、上板１８ａのヘッダー１４側の両端に形成された切欠７０ａを通して上板１８ａの内面側へ突出するように、摺動板６０ａに対して段違いをなしている。同様に、摺動板６０ａの基端部６４ａは、上板１８ａに形成された切欠７２ａを通して上板１８ａの内面側へ突出するように、摺動板６０ａに対して段違いをなしている。更に、腕６６ａの屈曲部６８ａの先端はそれぞれ折り曲げられ、メモリーカード３０の雌端子配列を有する一端面と係合すべき排出鈎７４ａとされている。
【００３６】
上板１８ａの上記回転軸４４ａ及び押し棒４８ａの上記切欠５０ａに対する揺動レバー４２ａの結合について説明する。揺動レバー４２ａは、その中央部分に長円状の穴７６ａを有し、この穴には上記回転軸４４ａが遊嵌されている。従って、揺動レバー４２ａは、穴７６ａの長手軸方向の長さと、回転軸４４ａの直径との差に相当する距離だけ、Ｘ方向に移動可能である。
【００３７】
揺動レバー４２ａがＸ- 側へ移動した状態では、揺動レバー４２ａの爪４６ａが押し棒４８ａの切欠５０ａと係合するため、押し棒４８ａの往復運動が揺動レバー４２ａへ伝達される。一方、揺動レバー４２ａがＸ+ 側へ移動した状態では、揺動レバー４２ａの爪４６ａが押し棒４８ａの切欠５０ａからＸ+ 側へ突出するため、押し棒４８ａの運動は揺動レバー４２ａへ伝達されない。
【００３８】
揺動レバー４２ａと押し棒４８ａとの係合及び係合解除の切り替えは、支持板１６ｃに支持された切り換え手段としてのＬ字板７８ａによりなされる。Ｌ字板７８ａは、その中央部分８０ａが支持板１６ｃに軸支され、支持板１６ｃ上の水平面で回動可能である。Ｌ字板７８ａの一端（Ｙ- 側）は揺動レバー４２ａの爪４６ａに係合可能であり、Ｌ字板７８ａの他端（Ｘ- 側）は、支持板１６ｃ上でＹ方向に摺動可能な伝達腕８２ａの一端（Ｙ+ 側）近傍に接続されている。伝達腕８２ａの他端（Ｙ-側）は、支持板１６ｃのＹ+ 側端部に支持されたソレノイド８４ａの駆動軸８６ａに連結されている。伝達腕８２ａは、ソレノイドの駆動軸８６ａが初期位置にあるときは、ばね１００により、Ｙ- 側へ押圧されている。
【００３９】
ソレノイド８４ａの駆動は、伝達腕８２ａを通じてＬ字板７８ａへ伝達される。伝達腕８２ａの一端（Ｙ- 側）は更に、脱落防止腕８８ａの一端（Ｙ+ 側）に連結されている。
【００４０】
脱落防止腕８８ａは、その付属部品と共に、メモリーカード３０の脱落を防止するための脱落防止機構をなす。脱落防止腕８８ａの他端（Ｙ- 側）の下面には、例えば円柱状の突起９０ａが突出している。
【００４１】
図５に示すように、脱落防止腕８８ａの他端側における側壁１６ｂ内には、案内２８ｂへ連通した凹所９２ａが設けられ、この凹所９２ａには、脱落防止爪９４ａが配置されている。この脱落防止爪９４ａはＸ方向へ摺動可能であり、通常は実質的に側壁１６ｂ内に位置してメモリーカード３０の移動を妨げない。しかし、側壁１６ｂの案内２８ｂから突出した際には、メモリーカード３０の前端に当接し、メモリーカード３０のＹ- 側への移動、即ちメモリーカードの脱落を防止する。
【００４２】
脱落防止爪９４ａは、脱落防止腕８８ａの突起９０ａを案内するための溝９６ａを有する。この溝９６ａは、脱落防止腕８８ａがＹ- 側へ摺動した際に、突起９０ａにより脱落防止爪９４ａが案内２８ｂへ押し出されるように、ＸＹ平面内で傾斜している。従って、ソレノイド８４ａの駆動により揺動レバー４２ａと摺動板６０ａとの間の力の伝達が解除されると同時に、脱落防止腕８８ａがＹ- 側へ摺動し、その際、脱落防止腕８８ａの突起９０ａが脱落防止爪９４ａの溝９６ａ内を通じて脱落防止爪９４ａを横断する。その結果、脱落防止爪９４ａが案内２８ｂから突出するので、不所望な振動や衝撃によるメモリーカードの脱落が防止される。
【００４３】
ソレノイド８４ａの駆動は、上述の制御回路に与えられた指令手段としての内蔵プログラムに基づく第１と第２のパルス信号すなわち指令信号により実行される。即ち、ソレノイド８４ａの駆動軸８６ａは、第１のパルス信号が与えられたときにはＹ- 側へ移動し、第２のパルス信号が与えられたときにはＹ+ 側へ移動する。これら第１または第２のパルス信号を切っても、図示しない永久磁石及びスプリングにより、ソレノイドの駆動軸８６ａはパルス信号が切れる前の位置に保持される。
【００４４】
メモリーカードとコネクタ装置とを電気的に接続するための上部端子配列２６ａは、メモリーカードとコネクタ装置との電気的接続を検出するために、それぞれ二本の検出端子を検出手段として含む。一枚のメモリーカードが手動により上部デッキへ押し込められ、メモリーカードと端子配列２６ａとが接続されると、内蔵プログラムが、情報処理装置とメモリーカードとの電気的接続を検出端子を通じて検出する。すると、内蔵プログラムの指令により、ソレノイド８４ａに第１のパルス信号が与えられ、ソレノイド８４ａの駆動軸８６ａがＹ- 側へ移動し、伝達腕８２ａを通じてＬ字板７８ａが揺動レバー４２ａをＸ+ 側へ移動させる。その結果、上述のように、揺動レバー４２ａと押し棒４８ａとの間の力の伝達が遮断され、メモリーカード３０が抜去不能となる。
【００４５】
メモリーカード３０を抜去する際には、その旨の指令を中央処理装置へ与える。この指令に従ってソレノイド８４ａに第２のパルス信号が与えられ、その駆動軸８６ａがＹ+ 側へ移動する。その結果、揺動レバー４２ａと押し棒４８ａとの間が、力を伝達するように結合される。この状態で押し棒４８ａを手動で押し込むと、その力が摺動板６０ａに伝達され、メモリーカードと端子配列２６ａとの電気的且つ機械的接続が解除される。
【００４６】
本実施例のコネクタ装置は、情報処理装置に接続可能な後述の二つの開閉器と、中央処理装置の適宜内蔵プログラムとの協働により、操作者による誤操作の防止、ソレノイド８４ａの駆動が正常であるか否かの確認を果たすことが可能である。
【００４７】
この目的のために、第一に、操作者の誤操作を防止するための近接スィッチ９８ａが、押し棒４８ａの一端の近傍における支持板１６ｃ上に配置されている。この近接スィッチ９８ａは、揺動レバー４２ａと押し棒４８ａとの間の力の伝達が解除され、且つ押し棒４８ａが押し込まれた際に、押し棒４８ａの一端が近接スィッチ９８ａに接触するように配置される。押し棒４８ａと近接スィッチ９８ａとの接触の結果、近接スィッチ９８ａが作動される。この作動信号に基づいて、適宜な音響手段または表示手段により、「現在は、メモリーカードを抜出してはならない」旨の警告を発することができる。
【００４８】
第二にソレノイド８４ａの駆動が正常であるか否かを検出するためのスィッチ１０２ａが、ソレノイド８４ａの駆動軸８６ａ近傍に配置されている。このスィッチ１０２ａは、ソレノイド８４ａの駆動軸８６ａがＹ- 側へ移動した際、伝達腕８２ａに形成された接点１０４ａに当接することにより閉止される。
【００４９】
一方、駆動軸８６ａがヘッダー側へ移動した際、スィッチ１０２ａは、伝達腕８２ａの接点１０４ａが離れることにより開放される。これら閉止及び開放信号に基づいて、情報処理装置はソレノイド８４ａが正常に駆動したことを検知できる。
【００５０】
下部デッキ２４ｂについての排出機構等の構成は、上部デッキ２４ａについてのそれと殆ど同様である。但し、上部デッキ２４ａのソレノイド８４ａはＸ- 側、下部デッキ２４ｂのソレノイド８４ｂはＸ+ 側にそれぞれ位置している。これらソレノイド８４ａ，８４ｂの位置に対応して、上部と下部との伝達腕８２ａ，８２ｂの形状は、図７に示すように僅かに異なっている。
【００５１】
図８及び図９は本発明の第２実施例を示す。図においては、メモリーカードとコネクタ装置の端子との間の接続及び接続解除機構のみを示し、図示しない部分の構成は第１実施例と同様である。この第２実施例は第１実施例に対して二つの差異を有する。第１の差異は、押し棒４８ａ、中央部分８０ａ及び伝達腕８２ａに代えて、押し棒４８ａ′、Ｌ字板１１８ａ及び連結棒１１０ａを用いていることである。第２の差異は、揺動レバー４２ａに代えて、Ｙ方向へ移動させる機構を有していない揺動レバー４２ａ′を用いていることである。
【００５２】
押し棒４８ａ′の一端には捩じられた平板状の連結棒１１０ａが回転軸１１２ａを介して連結されている。この連結棒１１０ａは押し棒４８ａ′との連結部をなす一端から実質的に直角に捩じられている。
【００５３】
連結棒１１０ａの捩じられた部分には孔１１４ａが開口され、この孔には揺動レバー４２ａ′の爪１１６ａが挿入されている。従って連結棒１１０ａがＹ方向に駆動されると、それに伴って揺動レバー４２ａ′が軸４４ａ回りに回動する。以後、第１実施例と同様に、揺動レバー４２ａ′の運動が摺動板６０ａに伝達され、メモリーカードとコネクタ装置の端子との電気的及び機械的接続が解除される。
【００５４】
連結棒１１０ａの他端は、Ｌ字板１１８ａの一端に係合されている。即ち、Ｌ字板１１８ａの一端は断面Ｕ字状に折り曲げられた係合部をなし、この係合部に連結棒１１０ａの他端が挿入されている。Ｌ字板１１８ａは、その直角部分が支持板１６ｃに軸支され、他端がソレノイド８４ａの駆動軸８６ａに連結されている。
【００５５】
メモリーカードとコネクタ装置の端子とが接続された状態でソレノイド８４ａの駆動軸８６ａをＹ- 側へ駆動すると、Ｌ字板１１８ａの係合部がＸ+ 側へ回動される。それに伴って連結棒１１０ａの他端も回転軸１１２ａ回りにＸ+ 側へ回動する。この際、揺動レバー４２ａ′の爪１１６ａが連結棒１１０ａの孔１１４ａから外れ、揺動レバー４２ａ′と連結棒１１０ａとの間の運動伝達が遮断される。この状態では、誤って押し棒４８ａ′を押したとしても、摺動板６０ａが動かないので、メモリーカードとコネクタ装置との間の接続は解除されない。
【００５６】
一方、ソレノイド８４ａの駆動軸８６ａをＹ+ 側へ駆動すると、Ｌ字板１１８ａは上述とは逆方向、即ちＸ- 側へ回動し、揺動レバー４２ａ′の爪１１６ａが連結棒１１０ａの孔１１４ａに再び挿入され、揺動レバー４２ａ′と連結棒１１０ａとの間が機械的に接続される。この状態で押し棒４８ａ′を押すと、その動作は摺動板６０ａへ伝達され、メモリーカードとコネクタ装置との間の接続が解除される。
【００５７】
図１０は本発明の第３実施例を示す。ここで脱落防止機構を除く構成は第１実施例と同様であるので、その図示及び説明は省略する。ソレノイド８４ａ′の駆動軸８６ａ′と脱落防止腕１１８との間は、真直連結腕１２０、Ｌ字状連結腕１２２、横連結腕１２４を順次に介して連結されている。ここで各連結腕の間は、支持板１６ｃ（図１０には示されていない）から遊離された遊動回転軸１２６により連結され、Ｌ字状連結腕１２２の直角部分及び脱落防止腕１１８の中間部は、それぞれ支持板１６ｃに固定された固定回転軸１２８により軸支されている。従って遊動回転軸１２６の位置は、支持板１６ｃに対して可変である。
【００５８】
ソレノイド８４ａ′の駆動軸８６ａ′をＹ- 側へ駆動させると、その運動は各連結腕を通じて脱落防止腕１１８の先端の突起１３０を矢印１３２方向へ移動させる。その結果、脱落防止腕１１８の突起１３０は破線で示すようにメモリーカード３０の端部と干渉する位置に位置する。この状態では、誤ってメモリーカード３０をコネクタ装置から手で抜き出そうとしても、メモリーカード３０は抜けない。
【００５９】
一方、ソレノイド８４ａ′の駆動軸８６ａ′をＹ+ 側へ駆動させると、脱落防止腕１１８は垂直姿勢（図１０に実線で示す姿勢）になり、メモリーカード３０を抜き出すことができる。
【００６０】
この第３実施例の脱落防止機構は、同様の構造のものが第１及び第２デッキ２４，２６にそれぞれ対応して設けられる。図１１及び１２は本発明の第４実施例を示す。ここで脱落防止機構を除く構成は第１実施例と同様であるので、その図示及び説明は省略する。本実施例の脱落防止機構は第１実施例に対して二つの差異を有する。第１の差異は脱落防止腕１４０の先端が半円状の突起１４４を有することであり、第２の差異は脱落防止爪１４２が後述のような屈曲形状を有することである。脱落防止爪１４２は実質的にＬ字状であり、その長手部分のほぼ中央が回転軸１４６により軸支されている。
【００６１】
Ｌ字状の脱落防止爪１４２の長手部分は、その先端から回転軸１４６に亘る第１の部分１４８と、その回転軸から基端に亘る第２の部分１５０とからなる。この長手部分は、真直ではなく、第１の部分１４８が脱落防止腕１４０側へ向かって屈曲されている。
【００６２】
図１１のように脱落防止腕１４０の突起１４２が第２の部分１５０側に位置しているときは、脱落防止爪１４２の短手部分１５２はメモリーカード３０と干渉しない位置にある。
【００６３】
図１２のようにソレノイド（図示しない）により脱落防止腕１４０をＹ- 側へ移動させると、脱落防止腕１４０の突起１４４が脱落防止爪１４２の第１の部分１４８の背面を押す。その結果、脱落防止爪１４２の短手部分１５２は、メモリーカード３０を係止し、その脱落を防止する位置にくる。ソレノイドにより脱落防止腕１４０をＹ+ 側へ移動させると、図１１に示したようにメモリーカード３０の係止が解除される。
【００６４】
図１３乃至２０は本発明の第５実施例を示す。この第５実施例の第１実施例に対する主な差異は、第１実施例のコネクタ装置では二つのソレノイド８４ａ，８４ｂ及び四つのスィッチ９８ａ，９８ｂ，１０２ａ，１０２ｂが使用されていたが、第５実施例のコネクタ装置では一つのみのソレノイド８４及び二つのみのスィッチ５３，６５（図１５）が使用されていることである。しかしながら、この第５実施例のコネクタ装置は第１実施例と殆ど等しい機能を達成可能である。以下、第５実施例のコネクタ装置の第１実施例との相違点についてのみ説明する。
【００６５】
第５実施例の揺動レバー４２ａは、第１実施例のような長穴７６ａを有さず、上板１８ａに固定され、軸４４ａの回りに回動する。従って、第５実施例の揺動レバー４２ａはＸ方向へは移動しない。
【００６６】
図１４に示すように、上部押し棒４８ａは、第１実施例のような切欠５０ａに代えて、Ｙ方向に沿って見て、断面弧状の貫通孔５１ａを有する。貫通孔５１ａには、揺動レバー４２ａの屈曲された先端が遊嵌される。Ｙ軸方向に沿って見て、貫通孔５１ａの幅は、揺動レバー４２ａの先端の幅よりもΔ１＋Δ２だけ大きくされている。押し棒４８ａが押し込まれる途上においては、押し棒４８ａが距離Δ１だけ移動した際に貫通孔５１ａのＹ- 側内壁と揺動レバー４２ａのＹ- 側側縁とが接触する。この距離Δ１の役割については後述する。
【００６７】
下部押し棒４８ｂも貫通孔５１ａと同様な貫通孔５１ｂを有し、揺動レバー４２ａと４２ｂとの先端は、互いに対向するように配置される。図１５及び図１６に示すように、第５実施例においては、後述の摺動部材５５の近傍における支持板１６ｃの下面に第１の近接スイッチ５３が配置され、押し棒４８ａと４８ｂとの何れを押しても摺動部材５５を介して近接スイッチ５３が閉成される。
【００６８】
特に図１７に示すように、摺動部材５５は、Ｘ- 側に位置する横倒しのＨ字状部材５７と、このＨ字状部材のＸ+ 側側面に位置する矩形状部材５９とからなる。図示の例では、摺動部材５５のＨ字状部材５７と矩形状部材５９とはプラスチック樹脂により一体成形されている。摺動部材５５のＨ字状部材５７のＹ方向両側の開放端６１が、支持板１６ｃの切欠６１ｃ（図１６）におけるＹ- 側及びＹ+ 側の縁にそれぞれ遊嵌されているので、摺動部材５５は支持板１６ｃの切欠６１ｃに沿ってＸ+ 及びＸ- 方向へ自由に摺動できる。摺動部材５５のＨ字状部材５７の上面には、Ｙ方向に沿って屈曲した溝６５が形成されている。
【００６９】
特に図１６に示すように、この溝６５には後述の伝達腕６７から突出された突起６９が係合する。この突起６９が溝６５内でＹ+ 方向へ移動すると、摺動部材５５はＸ- 方向へ移動する。同様に突起６９がＹ- 方向へ移動すると、摺動部材５５はＸ+ 方向へ移動する。
【００７０】
第１の近接スイッチ５３は、支持板１６ｃの下面側において切欠６１ｃのＹ+ 側の縁と実質的に整合する位置に接着固定されている。但し、第１の近接スイッチ５３のノブ５３ａは切欠６１ｃのＹ+ 側の縁から僅かに前面へ突出している。この状態で摺動部材５５が摺動すると、支持板１６ｃの切欠６１ｃのＹ+ 側の縁に接する摺動部材５５の矩形部分５９の面と第１の近接スイッチ５３のノブ５３ａとが干渉し、摺動部材５５の矩形部分５９は第１の近接スイッチ５３のノブ５３ａに当接しながら摺動する。しかし、切欠６１ｃと摺動部材５５との嵌め合いの公差は、このような干渉を吸収できる量であり、しかもノブ５３ａを押してスイッチ５３を作動させるためには、或る程度の力が必要であるので、この際の摺動の摩擦力によりスイッチ５３が作動することはない。
【００７１】
摺動部材５５がＸ+ 方向にある際には、摺動部材５５の矩形部分５９の一面は、近接スイッチ５３のノブ５３ａを覆っている。且つこの際、摺動部材５５の矩形部分５９は押し棒４８ａ，４８ｂの先端部の可動領域内に位置する。従って、この位置関係にあるときには、何れの押し棒４８ａ，４８ｂが押し込まれても、その押し棒４８ａまたは４８ｂの先端は摺動部材５５の矩形部分５９に当接し、その干渉によりそれ以上移動できない。即ち、押し棒４８ａ，４８ｂが揺動レバー４２ａ，４２ｂを駆動することができないので、メモリーカードが排出されない。これは、図１４に示すように押し棒４８ａ，４８ｂが距離Δ1 の範囲を移動して生じることである。また、この際、摺動部材５５の矩形部分５９は、押し棒４８ａ，４８ｂから押圧されるために、切欠６１ｃと摺動部材間の公差（遊び）の分だけ切欠６１ｃのＹ+ 側の端面へ充分に強く押圧される。この際の遊び分は近接スィッチ５３のノブ５３ａを作動させるのに充分な距離であり、近接スィッチ５３を作動させる。これに従って、情報処理装置は操作者が誤って押し棒４８ａ，４８ｂを押し込んだことを検知する。この第１の近接スイッチ５３は、押し棒４８ａ，４８ｂに作用する力を検知する検知手段として機能する。
【００７２】
一方、摺動部材がＸ- 方向にあるときは、摺動部材５５の矩形部分５９の一面は、近接スイッチ５３のノブ５３ａを覆っていない。且つこの際、摺動部材５５の矩形部分５９は押し棒４８ａ，４８ｂの先端部の可動領域外に位置する。従って、この位置関係にあるときには、何れの押し棒４８ａまたは４８ｂが押し込まれても、その押し棒４８ａ，４８ｂの先端は、矩形部分５９に干渉されることなく、Ｙ+ 方向へ移動する。即ち、押し棒４８ａ，４８ｂが揺動レバー４２ａ，４２ｂを駆動できるので、メモリーカードが排出される。
【００７３】
図１５に示すように、支持板１６ｃの下面には第２の近接スィッチ６５が取り付けられ、支持板１６ｃの上面には一つのソレノイド８４が取り付けられている。このソレノイド８４は、上部及び下部デッキに共用である。
【００７４】
図１８は第２の近接スィッチ６５の拡大図を示す。情報処理装置がメモリーカードの挿入が完了したことを検知すると、その内蔵プログラムにより係止信号が発せられ、ソレノイド８４が作動する。その結果、ソレノイド８４の駆動軸８６ａが突出し、伝達腕６７をＹ- 方向へ移動させ、この際、伝達腕６７の肩部７１が第２の近接スィッチ６５の接点６５ａを押圧し、スィッチ６５を作動させる。この第２の近接スィッチ６５の作動により、情報処理装置は、伝達腕６７が移動して係止された（押し棒４８ａ，４８ｂを押し込んでも揺動レバー４２ａ，４２ｂが作動せず、また後述する脱落防止部材７３が前進した）と判断する。
【００７５】
操作者がキーボード等の入力装置（図示せず）を通じて情報処理装置に係止解除指令を入力すると、ソレノイド８４の駆動軸８６ａは逆方向へ駆動し、近接スィッチ６５は切れ、上述と逆の動きを経て、押し棒４８ａ，４８ｂは非係止状態になり、また脱落防止爪７３は後退する。
【００７６】
図１９は伝達腕６７の先端部を示す。伝達腕６７はソレノイド８４と結合され、ソレノイド８４の駆動軸８６ａの移動に伴ってＹ方向に移動する。伝達腕６７は第２の近接スィッチ６５と摺動部材５５及び脱落防止部材７３（図２０）を駆動させる。伝達腕６７の先端は二叉状であり、脱落防止部材７３を移動させるための一対の突起７５が設けられている。
【００７７】
図２０を参照すると、伝達腕６７の先端側には、メモリーカードの排出を防止するために、一対の爪７３ａ及び一対の溝７３ｂを有する脱落防止部材７３が設けられている。この部材７３は、第１実施例の脱落防止爪９４ａと同様に、案内２８ｂへ連通したハウジング側壁１６ｂ内の凹所９２ａ（図２０には図示せず）内に配置されている。この脱落防止部材７３の動作及び作用については第１実施例の脱落防止爪９４ａとほぼ同様である。この脱落防止部材７３の第１実施例との相違点は、上下の一対の爪７３ａが一体成形され、且つ伝達腕６７の一対の突起６９に応じて上下に一対の溝７３ｂを有することである。即ち、メモリーカードの係止及び係止解除は、上下のデッキ２４ａ，２４ｂで同時に実行される。
【００７８】
二枚のメモリーカードがそれぞれ上下のデッキ２４ａ，２４ｂに挿入されると、それを情報処理装置が検知して内蔵プログラムによりソレノイド８４を作動する。ソレノイド８４が伝達腕６７ａをＹ- 方向へ移動させる結果、摺動部材５５が上下の押し棒４８ａ，４８ｂを係止する。同時に伝達腕６７の一対の突起７５が脱落防止部材７３の溝７３ａに案内されることにより、爪７３ｂが上下のデッキ２４ａ，２４ｂ内へ突出してメモリーカードの排出を不能にする。伝達腕６７は更に第２の近接スィッチ６５を作動させ、係止状態になったことを意味する信号を情報処理装置へ与える。
【００７９】
メモリーカードを排出するためには、操作者がキーボードを通じて情報処理装置に係止解除指令を入力する。その結果、情報処理装置の内蔵プログラムがソレノイド８４を上述と逆方向へ作動させ、伝達腕６７が上述と逆方向へ移動し、摺動部材５５及び脱落防止部材７３を後退（Ｘ- 方向）させ、非係止状態にする。ここで第２の近接スィッチ６５が切れるので、非係止状態になったことを意味する信号が情報処理装置へ与えられる。
【００８０】
本実施例では二枚のメモリーカードを使用する例を示したが、一枚のメモリーカードを使用する旨を情報処理装置の内蔵プログラムに与えておけば、一枚のみのメモリーカードも使用できる。
【００８１】
この第５実施例は、第１実施例と比較して、ソレノイド及び近接スィッチの数を半減したので、コネクタ装置の製造工程の簡略化及び製造コストの低減が実現される。また、二枚のメモリーカードの係止及び係止解除を一つの機構で実行できるので、操作者によるコネクタ装置の操作が容易となる。
【００８２】
図２１は本発明の第６実施例のコネクタ装置を示す。図において、第１実施例と同様な参照符号を付した構成要素は、特に断らない限り同様な構成要素を示す。図示を簡単にするために、ヘッダー１４の図示は省略されている。
【００８３】
第６実施例の第１実施例に対する差異は、押し棒４８ａと摺動板６０ａの間の力伝達をソレノイド８４ａにより切り換える機構に代えて、電動機により押し棒４８ａを係止及び係止解除するための係止機構を用いたことである。これに伴い、第６実施例のコネクタ装置は、支持板１６ｃ及びそれに支持された部品は有していない。
【００８４】
図２１を参照すると、コネクタ装置は上部及び下部デッキにそれぞれ対応した上部及び下部係止機構を備えている。これら上部と下部との係止機構は実質的に同一の構造であり、図においては、上部係止機構の構成要素を示す参照番号には添字ａが付され、下部係止機構の構成要素を示す参照番号には添字ｂが付され、上部と下部とに共通の構成要素を示す参照番号には添字が付されていない。以下の説明では特に断らない限り、上部係止機構に代表させて説明する。
【００８５】
ハウジング側壁１６ａの外面には、軸１６０ａ回りにＸＹ平面内で揺動する揺動腕１６２ａが設けられている。揺動腕１６２ａのＹ+ 側端部は、ハウジング側壁１６ａに固定されたばね１６４ａにより、Ｘ- 側へ常に押圧されている。
【００８６】
揺動腕１６２ａのＹ- 側端部は、係合爪１６６ａを有する。上部及び下部押し棒４８ａ，６２ｂのＹ+ 側端部には、対応する揺動腕の係合爪１６６ａ，１６６ｂに係合すべき係合孔１６８ａ，１６８ｂが設けられている。押し棒４８ａ，６２ｂは、ハウジング側壁１６ａに固定された案内１７０に案内され、Ｙ方向に沿って摺動可能である。
【００８７】
更に、揺動腕１６２ａ，１６２ｂのＹ+ 側端部近傍には、情報処理装置の指令により駆動するモータ１７２が配置されている。このモータ１７２の駆動軸には、実質的に半円筒状の部材１７４が装着されている。この半円筒状部材１７４はモータ１７２の駆動により時計方向ＣＷ及び反時計方向ＣＣＷへ回動する。
【００８８】
半円筒状部材１７４の上部側端面は、時計方向ＣＷへ回動した際に、上部揺動腕１６２ａのＹ+ 側端部をばね１６４ａに抗してＸ+ 側へ押圧可能である。本実施例における揺動レバー４２ａと第１実施例のそれとは、二つの差異を有する。第１の差異は、揺動レバー４２ａの一端が直接に押し棒４８ａに軸支され、第２の差異は、揺動レバー４２ａが長穴７６ａを有さず、回転軸４４ａにより直接に上板１８ａに軸支されていることである。
【００８９】
このコネクタ装置の操作について説明する。揺動腕１６２ａのＹ+ 側端部がばね１６４ａによりＸ- 側へ押圧されることにより、揺動腕１６２ａの係合爪１６６ａと押し棒４８ａの係合孔１６８ａとは、通常は係合状態にある。
【００９０】
従って押し棒４８ａは揺動腕１６２ａにより係止され、手動によるＹ方向の移動はできない。ここでモータ１７２を時計方向ＣＷへ回動させると、半円筒状部材１７４により上部揺動腕１６２ａのＹ+ 側端部がＸ+ 側へ押圧され、これに伴い揺動腕１６２ａと押し棒４８ａとの係合が解除される。これにより押し棒４８ａの手動操作が可能となる。
【００９１】
同様に、モータ１７２を反時計方向ＣＣＷへ回動した際には、半円筒状部材１７４の下部側端面により、下部揺動腕１６２ｂのＹ+ 側端部がばね１６４ｂに抗してＸ- 側へ押圧される。これに伴い下部揺動腕１６２ｂと下部押し棒６２ｂの係合が解除され、下部押し棒６２ｂの手動操作が可能となる。
【００９２】
この実施例においては、揺動レバー４２ａをＸ方向へ移動させる機構は不要である。本発明は上述した実施例に限定されるものではなく、幾多の変更が可能である。例えば、上述した各実施例においては、コネクタ装置に収容可能なカード状情報処理媒体の数を最大限二枚としたが、ハウジングのＺ方向高さを大きくしてデッキの数を増やすことにより、更に多数の情報処理媒体を収容可能な設計としてもよい。各デッキの排出機構または係止機構は、互いに独立に作動可能であるので、例えば一枚の情報処理媒体から情報処理装置へ情報が転送されている間に、他の情報処理媒体と情報処理装置との間の接続を解除することが可能である。
【００９３】
逆に、デッキを一つのみとし、一枚のみの情報処理媒体を収容可能な設計としてもよい。カード状情報処理媒体としては、特に図示しないが、記憶素子に限らず各種の集積回路を内蔵した集積回路（ＩＣ）カード、または薄型ハードディスクドライブを内蔵したハードディスクドライブパッケージを用いてもよい。
【００９４】
【発明の効果】
本発明の一つのコネクタ装置によれば、押し棒と摺動板との間の運動の伝達と伝達解除とが、選択的に切り換えられる。従って、情報処理媒体の操作期間中には、押し棒と摺動板との間の運動の伝達を解除することにより、押し棒の動作に拘らず、情報処理媒体をハウジングから抜去不能にできる。
【００９５】
本発明の他のコネクタ装置によれば、押し棒を係止することができる。従って、情報処理媒体の操作期間中には押し棒を係止することにより、押し棒の不所望な移動、即ち情報処理媒体の不所望な抜去を防止できる。本発明に係るコネクタ装置によれば、仮に操作者による誤操作が生じても、情報処理媒体とコネクタ装置との接続状態を維持できるので、安全性が向上する。
【図面の簡単な説明】
【図１】第１実施例のコネクタ装置を示す斜視図である。
【図２】図１のコネクタ装置の正面図である。
【図３】図１のコネクタ装置に使用されるメモリーカードを示す斜視図である。
【図４】図１のコネクタ装置の要部を分解して示す斜視図である。
【図５】図１のコネクタ装置のメモリーカード脱落防止機構をメモリーカードが係止された状態で示す模式図である。
【図６】図５に対応してメモリーカードの係止が解除された状態を示す模式図である。
【図７】図１のコネクタ装置における上部及び下部伝達腕を示す斜視図である。
【図８】第２実施例のコネクタ装置の接続及び接続解除機構を示す平面図である。
【図９】図８の連結棒の側面図である。
【図１０】第３実施例のコネクタ装置のメモリーカード脱落防止機構を示す模式図である。
【図１１】第４実施例のコネクタ装置のメモリーカード脱落防止機構をメモリーカードが係止されていない状態で示す模式図である。
【図１２】図１１に対応してメモリーカードが係止された状態を示す模式図である。
【図１３】第５実施例のコネクタ装置を示す斜視図である。
【図１４】図１３のコネクタ装置の一対の押し棒の一端を拡大して示す斜視図である。
【図１５】図１３のコネクタ装置の伝達腕と摺動部材とを示す斜視図である。
【図１６】図１５の伝達腕と摺動部材及び図１４の一対の押し棒の協働動作を示す斜視図である。
【図１７】図１３乃至１６における摺動部材の拡大図である。
【図１８】図１５の伝達腕の肩部と第２の近接スィッチとの拡大図である。
【図１９】図１５の伝達腕の先端部の拡大図である。
【図２０】図１３のコネクタ装置の伝達腕の先端部及び脱落防止部材の拡大図である。
【図２１】第６実施例のコネクタ装置を示す斜視図である。
【符号の説明】
１２…ハウジング、２４ａ，２４ｂ…デッキ（収容空間）、２６ａ，２６ｂ…接続端子、３０…メモリーカード（データ処理媒体）、４２ａ…揺動レバー、４８ａ，４８ｂ，４８ａ′…押し棒、６０ａ…摺動板、９８ａ…近接スイッチ（検知手段）。
【図１】
0003657016.tif 000002
【図２】
0003657016.tif 000003
【図３】
0003657016.tif 000004
【図４】
0003657016.tif 000005
【図５】
0003657016.tif 000006
【図６】
0003657016.tif 000007
【図７】
0003657016.tif 000008
【図８】
0003657016.tif 000009
【図９】
0003657016.tif 000010
【図１０】
0003657016.tif 000011
【図１１】
0003657016.tif 000012
【図１２】
0003657016.tif 000013
【図１３】
0003657016.tif 000014
【図１４】
0003657016.tif 000015
【図１５】
0003657016.tif 000016
【図１６】
0003657016.tif 000017
【図１７】
0003657016.tif 000018
【図１８】
0003657016.tif 000019
【図１９】
0003657016.tif 000020
【図２０】
0003657016.tif 000021
【図２１】
0003657016.tif 000022